(57)【要約】【課題】誘導加熱調理器の載置プレート外周部に鍋類が位置決めされるための位置決め用部材を設け、該部材に他の機能を付加することにより、調理器全体を小型化し、且つ操作部内へのふきこぼれを防止し、更には火傷の心配のない持ち運び式誘導加熱調理器を提供すること。【解決手段】外郭を形成する本体ケースと、本体ケースの上部に取り付けられ鍋類を載置するための載置用プレートと、載置プレートの下方に設けられ鍋類の温度を検知するセンサーと、載置プレートの下方に設けられ鍋類を加熱するためのワークコイルと、本体ケースの前方に取り付けられその上面に操作シートが貼付される操作部とを備えてなり、載置プレート外周部に鍋類セット時に鍋類が位置決めされるための位置決め用部材を設け、位置決め用部材を操作部へのふきこぼれ防止壁としても作用させる持ち運び式誘導加熱調理器。【選択図】        図１
2004288477.tif 000002
【特許請求の範囲】
【請求項１】
外郭を形成する本体ケースと、該本体ケースの上部に取り付けられ鍋類を載置するための載置用プレートと、該載置プレートの下方に設けられ鍋類の温度を検知するセンサーと、前記載置プレートの下方に設けられ鍋類を加熱するためのワークコイルと、前記本体ケースの前方に取り付けられその上面に操作シートが貼付される操作部とを備えてなる持ち運び式誘導加熱調理器において、前記載置プレート外周部に鍋類セット時に該鍋類が位置決めされるための位置決め用部材を設け、該位置決め用部材を前記操作部へのふきこぼれ防止壁とすることを特徴とする持ち運び式誘導加熱調理器。
【請求項２】
前記操作部は、傾斜されるとともに、前記操作部上部は、前記位置決め用部材と前記操作部上面とで内部方向に窪んだ空間を形成し、該窪んだ空間の前記操作部上面に前記操作シートの上端が位置することを特徴とする請求項１記載の持ち運び式誘導加熱調理器。
【請求項３】
前記位置決め用部材は、前記鍋類から直接滴下するふきこぼれに対しては前記操作シートの上端への壁となり、前記鍋類の側面を伝って滴下するふきこぼれに対しては前記位置決め用部材の内側への誘導部材になることを特徴とする請求項１、２記載の持ち運び式誘導加熱調理器。
【請求項４】
前記位置決め用部材は、誘導加熱調理器を持ち運びする場合に取手になることを特徴とする請求項１乃至３記載の持ち運び式誘導加熱調理器。
【請求項５】
前記位置決め用部材は、全周または複数箇所設けられ、プラグ受け部をカバーすることを特徴とする請求項１乃至４記載の持ち運び式誘導加熱調理器。
【発明の詳細な説明】
【０００１】
【発明が属する技術分野】
本願発明は、持ち運び式誘導加熱調理器に関し、特に、鍋類からのふきこぼれが操作パネルの上面に貼付したシール上端から内部に侵入するのを防止する等の機能を有する持ち運び式誘導加熱調理器に関するものである。
【０００２】
【従来の技術】
近年、持ち運び式加熱調理器としてワークコイルを用いた誘導加熱方式を採用したものの需要が増えている。この誘導加熱調理器は、効率的な加熱調理を行うことができるとともに、安全且つ清潔である等、使い勝手の良い製品の一つとなっている。持ち運び式誘導加熱調理器は、鍋類を載置するパネル下方に加熱手段としてのワークコイルを取り付けてなり、ワークコイルにより緻密な加熱制御を行うことができ、必要に応じて持ち運びできるものである。
【０００３】
このような従来の持ち運び式誘導加熱調理器を図７に示す。この持ち運び式誘導加熱調理器は、外郭を形成する本体ケースａと、この本体ケースａの上部に取り付けられ鍋類を載置するための載置用プレートｂと、この載置プレートｂの下方に設けられ鍋類の温度を検知する図示しないセンサーと、前記載置プレートｂの下方に設けられ鍋類を加熱するための図示しないワークコイルと、前記本体ケースａの前方に取り外し自在に取り付けられる操作部ｃと、この操作部ｃの上面に貼付される操作シートｄとを備えてなる。
【０００４】
ところで、持ち運び式誘導加熱調理器は、図７にも示すように持ち運びを容易にするためできるだけコンパクトにすることが要望され、その要望に応えるため、図７のように本体ケースａの大きさは、鍋類を載置するための載置用プレートｂより若干大きい大きさに形成され、全体を小型化している。
【０００５】
ところが従来のものは、例え操作部ｃを前記本体ケースａの前方に傾斜して取り付けたとしても、操作部ｃは前記本体ケースａの側面に取り付けられる形態であり、本体ケースａの側面から操作部ｃの平面視での長さだけ前方に突出することになり、前後方向での大きさは操作部ｃの幅分確実に大きくなり十分な小型化が図られているとはいえなかった。
【０００６】
また、図７のような形態であると、鍋類からふきこぼれが生じた場合、そのふきこぼれが直接操作部ｃの上面に滴下することになる。操作部ｃの上面には、前記操作シートｄが貼付されており、その操作シートｄ上に直接ふきこぼれが滴下したとしてもが損傷することはないが、そのふきこぼれが操作シートｄの上端部ｅ近傍に滴下すると、このふきこぼれが操作シートｄの上端部ｅから内部に入り込み操作シートｄを剥がし、ひいては操作部ｃ内部の基板にまで侵入し、加熱制御に悪影響を与える恐れがあった。
【０００７】
更に、図７のような形態であると、載置プレートｂに鍋類を載置し加熱している時に操作ボタンを操作しようとして操作部ｃに指を近づけた場合、指と鍋類との間に障害物が介在しないため、指が鍋類に当たり火傷をする恐れがあった。図７で示すものは、そのような問題を解決するために、操作部ｃを本体ケースａより切り離し可能にし、そのような恐れのある場合には操作部ｃを本体ケースａより切り離し無線により制御を行うようにしている。ところが、操作部ｃを本体ケースａより切り離し無線により制御するということは、それだけ構造が複雑になり、コストアップを引き起こしていた。
【０００８】
【特許文献１】
特開２０００−３２３２７０。
【０００９】
【発明が解決しようとする課題】
本願発明の目的は、誘導加熱調理器の載置プレート外周部に鍋類が位置決めされるための位置決め用部材を設け、該部材に他の機能を付加することにより、調理器全体を小型化し、且つ操作部内へのふきこぼれを防止し、更には火傷の心配のない持ち運び式誘導加熱調理器を提供することである。
【００１０】
【課題を解決するための手段】
上記目的を達成するため、本願発明は以下の構成を採用する。
【００１１】
請求項１に係る発明では、外郭を形成する本体ケースと、該本体ケースの上部に取り付けられ鍋類を載置するための載置用プレートと、該載置プレートの下方に設けられ鍋類の温度を検知するセンサーと、前記載置プレートの下方に設けられ鍋類を加熱するためのワークコイルと、前記本体ケースの前方に取り付けられその上面に操作シートが貼付される操作部とを備えてなる持ち運び式誘導加熱調理器において、前記載置プレート外周部に鍋類セット時に該鍋類が位置決めされるための位置決め用部材を設け、該位置決め用部材を前記操作部へのふきこぼれ防止壁とする構成。
【００１２】
そしてこのような構成により、鍋類からふきこぼれが生じ、そのふきこぼれが直接操作部上面の操作シート上に向かって滴下したとしても、操作シートの上端部は位置決め用部材がひさしとしての機能を奏しそのふきこぼれを遮るため、ふきこぼれが操作シートの上端部に滴下することが防止される。また、載置プレートに鍋類を載置し加熱している時に操作ボタンを操作しようとして操作部に指を近づけた場合、位置決め用部材が指と鍋類との間に障害物として介在するため、指が鍋類に当たり火傷することはなくなる。
【００１３】
請求項２に係る発明では、前記操作部は、傾斜されるとともに、前記操作部上部は、前記位置決め用部材と前記操作部上面とで内部方向に窪んだ空間を形成し、該窪んだ空間の前記操作部上面に前記操作シートの上端が位置する構成。そしてこのような構成により、請求項１に係る発明の作用に加え、窪んだ長さだけ操作部が本体ケース内に入り込むことになり、それだけ前後方向の長さが短くなり全体が小型化される。
【００１４】
請求項３に係る発明では、前記位置決め用部材は、前記鍋類から直接滴下するふきこぼれに対しては前記操作シートの上端への壁となり、前記鍋類の側面を伝って滴下するふきこぼれに対しては前記位置決め用部材の内側への誘導部材になる構成。そしてこのような構成により、請求項１、２に係る発明の作用に加え、特に鍋類の側面を伝って滴下するふきこぼれに対して位置決め用部材を内側への誘導部材として機能させ、ふきこぼれの本体ケース外への排出を極力抑える。
【００１５】
請求項４に係る発明では、前記位置決め用部材は、誘導加熱調理器を持ち運びする場合に取手になる構成。そしてこの構成により、請求項１乃至３に係る発明の作用に加え、特に持ち運び用の取手を設けると調理器自体が大型化するとともに生産コストがアップするところ、他の機能を奏するための形状を取手として利用することにより、そのような弊害を引き起こすことなく取手を形成することができる。
【００１６】
請求項５に係る発明では、前記位置決め用部材は、全周または複数箇所設けられ、プラグ受け部をカバーする構成。そしてこの構成により、請求項１乃至４に係る発明の作用に加え、プラグ受け部に対しそれ専用のカバーを設けることなくふきこぼれが直接かからないようにすることができる。
【００１７】
【発明の実施の形態】
（第１の実施の形態）
図１は、本願発明の第１の実施の形態を示す。図１は、持ち運び式誘導加熱調理器及びその上に載置される圧力釜を示す断面図であり、図２は、操作パネルを指で操作する場合を示す拡大概略図であり、図３は、本体ケース内の空間を有効利用してなる制御基板の一形態を示す断面図である。
【００１８】
図１は、持ち運び式誘導加熱調理器Ａと、持ち運び式誘導加熱調理器Ａの加熱台２上に載置される鍋類の一種であり専用鍋でもある圧力釜１を示し、該圧力鍋１は、その鍋本体１１部分が、電磁誘導加熱可能な磁性金属材料（一例としてステンレス）により形成されている一方、加熱台２は、それに対応して電磁誘導加熱手段としてのワークコイル２５を備えて構成されている。
【００１９】
圧力鍋１の鍋本体１１部分は、底部１１ａが略フラットに形成されているとともに側壁部１１ｂは上下方向に略等径とされ、全体として有底の筒状構造をなしている。そして、その上端側外方への開口縁部１１ｃには全周に亘って蓋１２と間の隙間をシールするためのパッキン１３が嵌合されている。
【００２０】
蓋１２は、断面略ハット形の逆皿構造をなし、鍋本体１１とは図示しないヘリコイド係合により脱着可能とされる。また、蓋１２の中央上面には、おもりからなる圧力調整弁１４が設けられている。そして該圧力鍋１で蒸す、炊く等の加熱調理を行うことになる。
【００２１】
ところで、圧力鍋１も含んだ鍋類で加熱調理をした場合には、ほとんどの場合ふきこぼれが発生し、そのふきこぼれは、開口縁部１１ｃのパッキン１３から直接下方へ滴下するふきこぼれｐと、側壁部１１ｂ外周に沿って滴下するふきこぼれｑとが発生する。なお、鍋類として圧力鍋１を用いて説明するが専用鍋であればどのような鍋でも良い。
【００２２】
圧力鍋１を電磁誘導加熱する加熱台２は、上板２２及び下板２３からなる外郭を形成する樹脂製の本体ケース２１を有している。前記上板２２は、その中央部を所定範囲凹ませてワークコイル設置部２４とし、同設置部２４内にワークコイル２５を半径方向内側部分と外側部分の同心構造の２層面に分けて平面状態に設置している。
【００２３】
そして、その上方には、前述の圧力鍋１を載置するための、前記鍋本体１１の直径にほぼ対応した直径を有する円板状のセラミックプレート２６が設けられている。このセラミックプレート２６の中央部には、前記内側部分のワークコイル２５の中心軸部分に位置して、前記圧力鍋１の底部１１ａに当接して前記圧力鍋１の温度を検出する例えばサーミスタ等の温度検知センサ２７がバネの力により昇降可能に設けられている。
【００２４】
また、セラミックプレート２６の上面には、前記圧力鍋１を所定位置に載置するための位置決め用部材３５が取り付けられる。位置決め用部材３５は、その中央が円形に開口されるとともに、内方から外方に向かって水平部３５ａ、外方に向かって高くなるように湾曲したほぼ円弧状の湾曲部３５ｂ及び外方張り出し部３５ｃを有してなるリング状の樹脂製部材であり、水平部３５ａ下面を前記セラミックプレート２６の上面に貼り付け、且つ外方張り出し部３５ｃの下面を本体ケース２１の上端部に当接し図示しない取り付け手段により固定される。
【００２５】
そして、前記圧力鍋１等の専用鍋を位置決め用部材３５の湾曲部３５ｂに載置し、圧力鍋１の底部１１ａ外周部の湾曲部との間で位置決めがなされる。このように位置決め用部材３５は、湾曲部３５ｂ及び外方張り出し部３５ｃを有しているため側壁部１１ｂ外周に沿って滴下する前記ふきこぼれｑを内側の水平部３５ａ方向に導くことができ、側壁部１１ｂ外周に沿って滴下する前記ふきこぼれｑに対しては誘導部材としての機能を奏することになる。
【００２６】
なお、前記下板２３の下面には、持ち運び式誘導加熱調理器Ａを支持するための複数個の脚部２３ａが一体に形成されている。
【００２７】
本体ケース２１の上板２２及び下板２３内には、部品等の設置空間２８が形成されており、該設置空間２８内には、制御基板２９、放熱用のヒートシンク３０、該ヒートシンク３０を冷却するための冷却ファン３１及びプラグ受け３２等が配置される。前記制御基板２９には、前記ワークコイル２５等を駆動制御するＩＧＢＴやＩＧＢＴ駆動回路、電源電圧整流用のダイオードブリッジよりなる整流回路、平滑回路、共振回路などが備えられている。そして、ＩＧＢＴ及びダイオードブリッジは多量の熱を発生する発熱素子であり、これらの素子を冷却するために前記ヒートシンク３０及び冷却ファン３１が設けられている。
【００２８】
前記本体ケース２１の前方側には、操作パネル４０が設けられている。この操作パネル４０には、操作部としての各種調理スイッチ４１及び液晶ディスプレイよりなる表示部４２が設けられるとともに、前記操作パネル４０の裏側には、操作基板４４等が配置される。また、操作パネル４０の上面には、各種ボタン並びに文字等が印刷された操作シート４３が貼付されている。
【００２９】
前記操作パネル４０は、図１に示すようにその上方の外方延設部４０ａ、その下方の傾斜部４０ｂ及び両部分４０ａ、４０ｂの間に形成される折曲部４０ｃを有し、折曲部４０ｃを介してその上方に所定の長さ上外方に張り出してなる外方延設部４０ａが形成され、その下方に長めの長さ下外方に傾斜した傾斜部４０ｂが形成され、全体として断面く字状の形態を呈している。
【００３０】
また、外方延設部４０ａの上端には前記位置決め用部材３５の外方張り出し部３５ｃの下面が当接するとともに、外方張り出し部３５ｃと外方延設部４０ａとの平面視での外周端部の長さは、図１に示すように同じ長さにされ、両部分３５ｃ、４０ａで操作パネル４０に対してひさしを形成している。
【００３１】
そして、前記折曲部４０ｃは、前記位置決め用部材３５の外方張り出し部３５ｃの外周端部或いは外方延設部４０ａの外周端部より図１に示すように長さＨだけ図の右側、即ち部品設置空間２８内に入り込んだ位置に形成され、操作パネル４０の外方延設部４０ａと折曲部４０ｃと傾斜部４０ｂとの間で窪み空間４０ｄを形成している。前記操作シート４３の上端部４３ａは、この窪み空間４０ｄ内で折曲部４０ｃ近傍の位置になるように貼付されている。
【００３２】
作用について説明する。前記圧力鍋１を載置する位置決め用部材３５に湾曲部３５ｂ及び外方張り出し部３５ｃを形成することにより、圧力鍋１を所定位置に安定して位置決めすることができるとともに、側壁部１１ｂ外周に沿って滴下する前記ふきこぼれｑを内側の水平部３５ａ方向に導く誘導部材としても機能させることができる。
【００３３】
また、その外方張り出し部３５ｃを操作パネル４０の外方延設部４０ａとともに操作パネル４０上方部へのひさしとすることにより、圧力鍋１から前記ふきこぼれｐが生じ、そのふきこぼれｐが操作パネル４０の上面に貼付した操作シート４３上に滴下したとしても操作シート４３の上端部４３ａは窪み空間４０ｄ内の折曲部４０ｃ近傍に貼付されているためふきこぼれｐが該上端部４３ａから操作シート４３内に侵入し、操作シート４３が剥がれ、更なるふきこぼれｐが操作パネル４０内に侵入することが防止される。
【００３４】
更に、操作パネル４０を傾斜させ、且つ、該操作パネル４０上部の折曲部４０ｃを部品設置空間２８内に長さＨ入り込ませることにより、入り込ませた長さＨだけ誘導加熱調理器Ａの前後方向の長さを短縮することができ、誘導加熱調理器Ａを小型化することができる。また、操作パネル４０の上方には外方延設部４０ａによりひさしが形成されることにより、上方から入射する光を遮ることができるためそれだけ操作パネル４０の視認性並びに操作性を高めることができるとともに、操作パネル４０を傾斜させることにより操作部の面積を大きくすることができる。
【００３５】
そして、ひさしとなる外方延設部４０ａは樹脂製のため、操作パネル４０上の各種スイッチ４１を図２に示すように指４５で操作する際、指４５と圧力鍋１との間にひさしとしての前記外方延設部４０ａが介在することになるため、例え矢印で示すように指４５が圧力鍋１方向に近づいたとしても指４５が圧力鍋１に触れて火傷する恐れは確実に低減される。
【００３６】
また、操作パネル４０上部の折曲部４０ｃを部品設置空間２８内に入り込ませるということは、図３に示すように傾斜される操作パネル４０上部の水平方向の長さＨ１は短くなるが、操作パネル４０下部の水平方向の長さＨ２は依然として誘導加熱調理器Ａの前方に張り出した長い長さを有することになる。別言すれば、誘導加熱調理器Ａの下部空間の容積を上部空間のものより大きくすることができる。図３は、この部品設置空間２８内の特に大きい容積を有する下部空間に水平方向に長く伸びた制御基板２９を配置するものである。
【００３７】
即ち、操作パネル４０を傾斜させ、本体ケース２１内の下部空間を広げ、該下部空間に制御基板２９を配置することにより、制御基板２９の配置を容易にするとともに、本体ケース２１の部品設置空間２８内に配設する他の部品の配置の自由度をより高めることができるようになる。
【００３８】
（第２の実施の形態）
図４にその実施の形態を示す。この実施の形態のものは、本体ケース２１の後方に設けられるプラグ受けの上方にもひさしを形成するものである。なお、第１の実施の形態のものと同一なものについては同じ符号で示し、以下で説明しない箇所については第１の実施の形態のものを代用する。
【００３９】
以下においては本体ケース２１周りを主に説明する。即ち、前記本体ケース２１の前方側には操作パネル４０が、そしてその後方側にはプラグ受け３２が設けられている。操作パネル４０には、操作部としての各種調理スイッチ４１及び液晶ディスプレイよりなる表示部４２が設けられるとともに、前記操作パネル４０の裏側には、操作基板４４等が配置される。また、操作パネル４０の上面には、各種ボタン並びに文字等が印刷された操作シート４３が貼付されている。
【００４０】
前記操作パネル４０は、図４に示すようにその上方の外方延設部４０ａ、その下方の傾斜部４０ｂ及び両部分４０ａ、４０ｂの間に形成される折曲部４０ｃを有し、折曲部４０ｃを介してその上方に所定の長さ上外方に張り出してなる外方延設部４０ａが形成され、その下方に長めの長さ下外方に傾斜した傾斜部４０ｂが形成され、全体として断面く字状の形態を呈している。
【００４１】
また、外方延設部４０ａの上端には前記位置決め用部材３５の外方張り出し部３５ｃの下面が当接するとともに、外方張り出し部３５ｃと外方延設部４０ａとの平面視での外周端部の長さは、図４に示すように同じ長さにされ、両部分３５ｃ、４０ａで操作パネル４０に対してひさしを形成している。
【００４２】
そして、前記折曲部４０ｃは、前記位置決め用部材３５の外方張り出し部３５ｃの外周端部或いは外方延設部４０ａの外周端部より図４に示すように長さＨだけ図の右側、即ち部品設置空間２８内に入り込んだ位置に形成され、操作パネル４０の外方延設部４０ａと折曲部４０ｃと傾斜部４０ｂとの間で窪み空間４０ｄを形成している。更に前記操作シート４３の上端部４３ａは、この窪み空間４０ｄ内で折曲部４０ｃ近傍の位置になるように貼付されている。このような形態により、第１の実施の形態で記載したのと同様な作用を奏することになる。
【００４３】
前記操作パネル４０と反対側の本体ケース２１の後方の後方壁面５０には、図１で示すのと同様のプラグ受け３２が取り付けられる。このプラグ受け３２が取り付けられる後方壁面５０は、図４に示すようにその上方の外方延設部５０ａ、その下方の垂直部５０ｂ及び両部分５０ａ、５０ｂの間に形成される折曲部５０ｃを有し、折曲部５０ｃを介してその上方に所定の長さ上外方に張り出してなる外方延設部５０ａが形成され、その下方に垂直部５０ｂが形成され、全体として断面く字状の形態を呈している。
【００４４】
また、外方延設部５０ａの上端には位置決め用部材３５の外方張り出し部３５ｃの下面が当接するとともに、外方張り出し部３５ｃと外方延設部５０ａとの平面視での外周端部の長さは、図４に示すように同じ長さにされ、両部分３５ｃ、５０ａで操作パネル４０に対するもの同様のひさしを形成している。
【００４５】
そのため、前記折曲部５０ｃは、位置決め用部材３５の外方張り出し部３５ｃの外周端部或いは外方延設部５０ａの外周端部より図４に示すように長さＨ３だけ図の左側、即ち部品設置空間２８内に入り込んだ位置に形成されるとともに、垂直部５０ｂに取り付けられるプラグ受け３２も同様の長さだけ部品設置空間２８内に入り込んだ位置を占める。
【００４６】
即ち、外方延設部５０ａがプラグ受け３２のひさしとなり、例え圧力鍋１から前記ふきこぼれｐが生じ、そのふきこぼれｐがプラグ受け３２の上方から滴下したとしてもプラグ受け３２内に侵入することは防止されるため、該プラグ受け３２に支障が生じる恐れはなくなる。
【００４７】
（第３の実施の形態）
図５にその実施の形態を示す。この実施の形態のものは、本体ケース２１の前後にひさしを形成し、そのひさしを取手として利用するものである。なお、第１の実施の形態のものと同一なものについては同じ符号で示し、以下で説明しない箇所については第１の実施の形態のものを代用する。
【００４８】
以下においては第２の実施の形態と同様本体ケース２１周りを主に説明する。即ち、前記本体ケース２１の前方側に設けられる操作パネル４０には、操作部としての各種調理スイッチ４１及び液晶ディスプレイよりなる表示部４２が設けられるとともに、前記操作パネル４０の裏側には、操作基板４４等が配置される。また、操作パネル４０の上面には、各種ボタン並びに文字等が印刷された操作シート４３が貼付されている。
【００４９】
前記操作パネル４０は、図５に示すようにその上方の外方延設部４０ａ、その下方の傾斜部４０ｂ及び両部分４０ａ、４０ｂの間に形成される折曲部４０ｃを有し、折曲部４０ｃを介してその上方に所定の長さ上外方に張り出してなる外方延設部４０ａが形成され、その下方に長めの長さ下外方に傾斜した傾斜部４０ｂが形成され、全体として断面く字状の形態を呈している。
【００５０】
また、外方延設部４０ａの上端には前記位置決め用部材３５の外方張り出し部３５ｃの下面が当接するとともに、外方張り出し部３５ｃと外方延設部４０ａとの平面視での外周端部の長さは図５に示すように同じ長さにされ、両部分３５ｃ、４０ａで操作パネル４０に対してひさしを形成している。
【００５１】
そして、前記折曲部４０ｃは、前記位置決め用部材３５の外方張り出し部３５ｃの外周端部或いは外方延設部４０ａの外周端部より図５に示すように長さＨだけ図の右側、即ち部品設置空間２８内に入り込んだ位置に形成され、操作パネル４０の外方延設部４０ａと折曲部４０ｃと傾斜部４０ｂとの間で窪み空間４０ｄを形成している。更に前記操作シート４３の上端部４３ａは、この窪み空間４０ｄ内で折曲部４０ｃ近傍の位置になるように貼付されている。このような形態により、第１の実施の形態で記載したのと同様な作用を奏することになる。
【００５２】
前記操作パネル４０と反対側の本体ケース２１の後方の後方壁面６０は、図５に示すようにその上方の外方延設部６０ａ、その下方の傾斜部６０ｂ及び両部分６０ａ、６０ｂの間に形成される折曲部６０ｃを有し、折曲部６０ｃを介してその上方に所定の長さ上外方に張り出してなる外方延設部６０ａが形成され、その下方に下外方に張り出してなる傾斜部６０ｂが形成され、全体として断面く字状の形態を呈している。
【００５３】
また、外方延設部６０ａの上端には位置決め用部材３５の外方張り出し部３５ｃの下面が当接するとともに、外方張り出し部３５ｃと外方延設部６０ａとの平面視での外周端部の長さは図５に示すように同じ長さにされ、両部分３５ｃ、６０ａで操作パネル４０に対するひさしとほぼ同じ形状のひさしを形成し、操作パネル４０に形成するひさしとこの後方壁面６０に形成するひさしとで取手７０、７０を形成する。この場合、後方壁面６０の傾斜部６０ｂにプラグ受け３２を設けても良いが、該傾斜部６０ｂに設けると該プラグ受け３２内にふきこぼれｐが侵入する恐れがあるため図示しない他の箇所に取り付けている。
【００５４】
即ち、操作パネル４０にひさしを形成するとともに、操作パネル４０の後方壁面６０にほぼ同じ形状のひさしを形成し、これらひさしを取手７０、７０として利用することにより、特に専用の取手を設ける必要がなくなるためそれだけ生産コストを低減することができる。
【００５５】
（第４の実施の形態）
図６にその実施の形態を示す。この実施の形態のものは、鍋類の底部を複数層に形成した専用鍋を用いるものである。なお、誘導加熱調理器Ａは第１の実施の形態のものと同一であり説明については省略する。
【００５６】
この実施の形態での鍋類も第１の実施の形態のものと同様圧力鍋を用いて説明する。圧力鍋１の鍋本体１１部分は、ＳＵＳ３０４からなるステンレスで成形されており、その底部１１ａは下部に多少突出して形成されているとともに、側壁部１１ｂは上下方向に略等径とされ、全体として有底の筒状構造をなしている。そして、その上端側外方への開口縁部１１ｃには全周に亘って蓋１２と間の隙間をシールするためのパッキン１３が嵌合されている。
【００５７】
蓋１２は、断面略ハット形の逆皿構造をなし、鍋本体１１とは図示しないヘリコイド係合により脱着可能とされる。また、蓋１２の中央上面には、おもりからなる圧力調整弁１４が設けられている。そして該圧力鍋１で蒸す、炊く等の加熱調理を行うことになる。
【００５８】
そして、この実施の形態の圧力鍋１の底部は、図６に示されるように複数層の材料から形成されている。即ち、鍋本体１１はＳＵＳ３０４からなるステンレスで成形されており、その底部１１ａも当然ＳＵＳ３０４からなる。その外側にアルミニウム層１１ｄが、更にその外側には磁性体金属である例えばＳＵＳ４３０からなるステンレス層１１ｅが積層され、全体としてはＳＵＳ３０４からなるステンレス層１１ａ、アルミニウム層１１ｄ及びＳＵＳ４３０からなるステンレス層１１ｅの３層構造とされている。
【００５９】
ＳＵＳ４３０からなるステンレス層１１ｅは発熱部材であり、アルミニウム層１１ｄはステンレス層１１ｅでの発熱を鍋本体１１に効率的に伝達するとともに、ステンレス層１１ａ及びステンレス層１１ｅとの接着の機能をも有する部材である。
【００６０】
また、アルミニウム層１１ｄ及びＳＵＳ４３０からなるステンレス層１１ｅは、ステンレス層１１ａの下部に突出して形成され、その横方向の大きさは、加熱台２の上面に取り付けられる位置決め部材３５の水平部３５ａの内径よりも若干小さい径からなり、その下部への突出長さは位置決め部材３５の水平部３５ａの厚さとほぼ同じ長さとされる。
【００６１】
そのため、圧力鍋１を位置決め部材３５に載置すると、圧力鍋１の底部１１ａから下部に突出するステンレス層１１ｅの外周端１１ｆは、位置決め部材３５の水平部３５ａの内周端部とで位置決めが行われるため、圧力鍋１を位置決め部材３５に載置する場合の位置決めが容易、且つより確実に行われる。更に、発熱部材であるステンレス層１１ｅをワークコイル２５に近傍に、且つ均一に配置することができるため加熱効率をより向上することができる。
【００６２】
本願発明は、前記実施例の構成に限定されるものではなく、発明の要旨を逸脱しない範囲において適宜設計変更可能であることは勿論である。
【００６３】
【発明の効果】
請求項１に係る発明では、載置プレート外周部に鍋類セット時に鍋類の位置決め用部材を設け、この位置決め用部材を本体ケース前方に取り付けられる操作部へのふきこぼれ防止壁とすることにより、鍋類からふきこぼれが生じ、そのふきこぼれが直接操作部上面の操作シート上に向かって滴下したとしても、ふきこぼれが操作シートの上端部に滴下することを防止することができるため、調理器の信頼性を高めることができる。
【００６４】
また、載置プレートに鍋類を載置し加熱している時に操作ボタンを操作しようとして操作部に指を近づけた場合、位置決め用部材が指と鍋類との間に障害物として介在することになるため、指が鍋類に当たり火傷する恐れを低減することができ、安全性を高めることができる。更に、専用のふきこぼれ防止壁が不要になるためそれだけ生産コストを低減することができる。
【００６５】
請求項２に係る発明では、操作部を傾斜させ、操作部上部を位置決め用部材と操作部上面とで内部方向に窪ませ空間を形成するとともに、窪んだ空間の操作部上面に操作シートの上端が位置する形態にすることにより、請求項１に係る発明の効果に加え、窪ませた長さだけ操作部を本体ケース内に入り込ませることができるため、それだけ調理器の前後方向の長さを短くでき、ひいては調理器全体を小型化することができる。また、位置決め用部材が傾斜した操作パネルに対して光を遮蔽するためその視認性並びに信頼性を向上させることができる。
【００６６】
請求項３に係る発明では、位置決め用部材を鍋類から直接滴下するふきこぼれに対しては操作シートの上端への壁となるように作用させ、鍋類の側面を伝って滴下するふきこぼれに対しては位置決め用部材の内側への誘導部材となるように作用させることにより、請求項１、２に係る発明の効果に加え、特に鍋類の側面を伝って滴下するふきこぼれに対して位置決め用部材を内側への誘導部材として機能させることにより、ふきこぼれの本体ケース外への排出を抑えることができるため、調理器の清潔感を高めることができる。また、専用の誘導部材が不要になるためそれだけ生産コストを低減することができる。
【００６７】
請求項４に係る発明では、位置決め用部材を誘導加熱調理器を持ち運びする取手として作用させることにより、請求項１乃至３に係る発明の効果に加え、持ち運び用の取手を設けるものに比べそれだけ小型化することができる。また、専用の取手が不要になるためそれだけ生産コストを低減することができる。
【００６８】
請求項５に係る発明では、位置決め用部材をプラグ受け部のカバーとして作用させることにより、請求項１乃至４に係る発明の効果に加え、プラグ受け部にふきこぼれがかからないようにすることができるためそれだけプラグ受け部の信頼性を高めることができる。また、専用のプラグ受け部カバーが不要になるためそれだけ生産コストを低減することができる。
【図面の簡単な説明】
【図１】本願発明の持ち運び式誘導加熱調理器の全体を示す断面図。
【図２】本願発明の持ち運び式誘導加熱調理器を指で操作する状態を示す概略図。
【図３】本願発明の持ち運び式誘導加熱調理器の本体ケース内の空間を有効利用する一形態を示す断面図
【図４】本願発明の他の持ち運び式誘導加熱調理器の全体を示す断面図。
【図５】本願発明の更に他の持ち運び式誘導加熱調理器の全体を示す断面図。
【図６】本願発明の専用鍋の変形例を示す断面図。
【図７】従来例の持ち運び式誘導加熱調理器の斜視図。
【符号の説明】
１…圧力鍋              ２…加熱台
１１…鍋本体            １１ａ…底部
１１ｂ…側壁部          １１ｃ…開口縁部
１１ｄ…アルミ層        １１ｅ…ステンレス層
１２…蓋                １３…パッキン
１４…圧力調整弁        ２１…本体ケース
２２…上板              ２３…下板
２３ａ…脚部            ２４…ワークコイル設置部
２５…ワークコイル      ２６…セラミックプレート
２７…温度検知センサ    ２８…部品設置空間
２９…制御基板          ３０…ヒートシンク
３１…冷却ファン        ３２…プラグ受け
３５…位置決め用部材    ３５ａ…水平部
３５ｂ…湾曲部          ３５ｃ…外方張り出し部
４０…操作パネル        ４０ａ，５０ａ，６０ａ…外方延設部
４０ｂ，６０ｂ…傾斜部  ４０ｃ，５０ｃ，６０ｃ…折曲部
４０ｄ…窪み空間        ４１…各種スイッチ
４２…表示部            ４３…操作シート
４３ａ…上端部          ４４…操作基板
４５…指                ５０，６０…後方壁面
５０ｂ…垂直部          ７０…取手
Ａ…誘導加熱調理器
【図１】
2004288477.tif 000003
【図２】
2004288477.tif 000004
【図３】
2004288477.tif 000005
【図４】
2004288477.tif 000006
【図５】
2004288477.tif 000007
【図６】
2004288477.tif 000008
【図７】
2004288477.tif 000009